(57)【要約】  洗濯機のパルセータおよび洗濯機において、パルセータの本体（１）は円盤状であり、パルセータの本体（１）の中心に、突起した中心部（４）が設けられる。本体（１）の上表面に、本体（１）の中心部（４）から本体（１）の外周に延伸する、突起した撹拌ブレード（２）および溝（３）が設けられ、本体（１）の下表面に、滑らかな凹凸の起伏面が上表面に対応して設けられる。本体（１）の下表面から角張って突出しないため、凹凸の起伏面の間と、凹凸の起伏面および本体（１）のその他の面の間とに、角張った夾角を有さない。さらに既存のパルセータのように、パルセータの下表面が比較的多くの小さな領域に分割されることはない。凹凸の起伏面を有する１つの大きな面であり、汚れが容易に蓄積する死角を減少させ、これにより汚れはパルセータの底部に付着しにくい。【選択図】図３
2018533419.tif 000002
【特許請求の範囲】
【請求項１】
洗濯機のパルセータであって、パルセータの本体は円盤状であり、パルセータの本体の中心に、突起した中心部が設けられ、本体の上表面に、本体の中心部から本体の外周に延伸する、突起した撹拌ブレードおよび溝が設けられ、本体の下表面に、滑らかな凹凸の起伏面が上表面に対応して設けられることを特徴とする、パルセータ。
【請求項２】
本体の下表面の中心に環状補強リブが設けられ、環状補強リブが囲む範囲内に、その径方向に沿って補強リブが設けられ、環状補強リブが囲む部分は、下密封カバーにより密封され、滑らかな平面を呈することを特徴とする、請求項１に記載の洗濯機のパルセータ。
【請求項３】
撹拌ブレードの両側は弧状面であり、弧状面は撹拌ブレードの最上部および本体の上表面と接続され、弧状面および本体の上表面が交わる線は曲線であり、曲線は複数の連続した弧状線を含み、本体の中心から本体の外周に向かって、順次、内側に凹んだ弧状線、外側に突出した弧状線、および内側に凹んだ弧状線であり、撹拌ブレードの底部の幅は広く、上に向かって次第に狭くなることを特徴とする、請求項１または２に記載の洗濯機のパルセータ。
【請求項４】
撹拌ブレードは中空構造であり、撹拌ブレードの底面は開放状であることを特徴とする、請求項３に記載の洗濯機のパルセータ。
【請求項５】
撹拌ブレードの最上部は、本体の中心部から本体の外周に向かって、低部から高部への曲線状を成して延伸し、撹拌ブレードの最高点は本体の中心部より高いことを特徴とする、請求項３に記載の洗濯機のパルセータ。
【請求項６】
撹拌ブレードの最上部は、最高点から滑らかな曲面を経て下に延伸し、本体の外周と接続されることを特徴とする、請求項３に記載の洗濯機のパルセータ。
【請求項７】
本体の隣接する２つの撹拌ブレード間に、本体の径方向に沿って延伸する溝が設けられ、溝の幅は、本体の中心部分から本体の外周に向かって次第に増大することを特徴とする、請求項１または２に記載の洗濯機のパルセータ。
【請求項８】
撹拌ブレードの最上部、本体および本体の溝中に、複数の貫通孔がそれぞれ設けられることを特徴とする、請求項６に記載の洗濯機のパルセータ。
【請求項９】
撹拌ブレードと、隣接する溝との間の本体に貫通孔が設けられ、本体における撹拌ブレードの側面の近くと、本体の上表面とが交わる線の位置に、複数の貫通孔６が設けられることを特徴とする、請求項３に記載の洗濯機のパルセータ。
【請求項１０】
請求項１〜９のいずれか１項に記載のパルセータが取り付けられたことを特徴とする、洗濯機。
【発明の詳細な説明】
【技術分野】
【０００１】
本発明は、洗濯機のパルセータおよび洗濯機に関し、洗濯機装置の分野に属する。
【背景技術】
【０００２】
図６に示すように、既存のパルセータは、下表面に複数の円形の環状リブ１０と、本体の径方向に沿った複数の横リブ１１とが設けられる。複数の環状リブ１０および横リブ１１が本体の下表面から突出し、さらに環状リブ１０および横リブ１１が交わる点が比較的多いため、分割して形成された小さな領域は比較的多い。環状リブ１０および横リブ１１は本体の下表面と直角に交差するため、交差部分に容易に汚れが溜まる。さらに分割して形成される小さな領域が比較的多いため、水流がパルセータ底部を洗い流す力が減少し、これにより汚れはパルセータの下表面に付着しやすい。
【０００３】
このことを考慮して、特に本発明を示す。
【発明の概要】
【発明が解決しようとする課題】
【０００４】
本発明が解決しようとする技術的問題は、既存技術の不足を克服することにあり、パルセータの下表面に汚れを付着しにくくすることができる洗濯機のパルセータおよび洗濯機を提供する。
【課題を解決するための手段】
【０００５】
上記技術的問題を解決するため、本発明が採用する技術案の基本的構想は以下の通りである。
洗濯機のパルセータにおいて、パルセータの本体は円盤状であり、パルセータの本体の中心に、突起した中心部が設けられる。本体の上表面に、本体の中心部から本体の外周に延伸する、突起した撹拌ブレードおよび溝が設けられ、本体の下表面に、滑らかな凹凸の起伏面が上表面に対応して設けられる。
【０００６】
さらに、本体の下表面の中心に環状補強リブが設けられ、環状補強リブが囲む範囲内に、その径方向に沿って補強リブが設けられる。環状補強リブが囲む部分は、下密封カバーにより密封され、滑らかな平面を呈する。
【０００７】
さらに、撹拌ブレードの両側は弧状面であり、弧状面は撹拌ブレードの最上部および本体の上表面と接続される。弧状面および本体の上表面が交わる線は曲線であり、曲線は複数の連続した弧状線を含む。本体の中心から本体の周囲に向かって、順次、内側に凹んだ弧状線、外側に突出した弧状線、および内側に凹んだ弧状線であり、撹拌ブレードの底部の幅は広く、上に向かって次第に狭くなる。
【０００８】
さらに、撹拌ブレードは中空構造であり、撹拌ブレードの底面は開放状である。
【０００９】
さらに、撹拌ブレードの最上部は、本体の中心部から本体の外周に向かって、低部から高部への曲線状を成して延伸し、撹拌ブレードの最高点は本体の中心部より高い。
【００１０】
さらに、撹拌ブレードの最上部は、最高点から滑らかな曲面を経て下に延伸し、本体の外周と接続される。
【００１１】
さらに、本体の隣接する２つの撹拌ブレード間に、本体の径方向に沿って延伸する溝が設けられる。溝の幅は、本体の中心部分から本体の外周に向かって次第に増大する。
【００１２】
さらに、撹拌ブレードの最上部、本体および本体の溝中に、複数の貫通孔がそれぞれ設けられる。
【００１３】
さらに、撹拌ブレードと、隣接する溝との間の本体に貫通孔が設けられる。本体における撹拌ブレードの側面の近くと、本体の上表面とが交わる線の位置に、複数の貫通孔６が設けられる。
【００１４】
洗濯機には、上記のいずれか１項に記載のパルセータが取り付けられる。
【発明の効果】
【００１５】
上記技術案を採用すると、本発明は既存技術と比較して、以下の有益な効果を有する。
【００１６】
本発明の洗濯機のパルセータおよび洗濯機において、洗濯機のパルセータの本体は円盤状であり、パルセータの本体の中心に、突起した中心部が設けられる。本体の上表面に、本体の中心部から本体の外周に延伸する、突起した撹拌ブレードおよび溝が設けられ、本体の下表面に形成される撹拌ブレードの凹面と、本体の下表面に形成される溝の凸面とが組み合わさって、本体の下表面に滑らかな凹凸の起伏面を形成する。本体の下表面から角張って突出しないため、凹凸の起伏面の間と、凹凸の起伏面および本体のその他の面の間とに、角張った夾角を有さず、パルセータの下表面に比較的多くの小さな領域も形成されない。パルセータの底面を凹凸の起伏面を有する１つの大きな面とし、汚れが容易に蓄積する死角を減少させ、これにより汚れはパルセータの底部に付着しにくい。
【００１７】
以下、図を組み合わせて、本発明を実施するための形態について、さらに詳細に説明する。
【図面の簡単な説明】
【００１８】
【図１】図１は、本発明の洗濯機のパルセータにおける上表面の構造概要図である。
【図２】図２は、本発明の洗濯機のパルセータにおけるパルセータカバーを除いた後の上表面の構造概要図である。
【図３】図３は、本発明の洗濯機のパルセータにおける下表面の構造概要図である。
【図４】図４は、本発明の洗濯機のパルセータにおける下密封カバーを除いた後の下表面の構造概要図である。
【図５】図５は、本発明の洗濯機のパルセータにおける半断面図である。
【図６】図６は、既存のパルセータにおける下表面の構造概要図である。
【発明を実施するための形態】
【００１９】
実施例１
図１に示すように、本発明の洗濯機のパルセータにおいて、図２〜４を組み合わせると、パルセータの本体１は円盤状であり、パルセータの本体１の中心に、突起した中心部４が設けられる。本体１の上表面に、本体の中心部から本体の外周に延伸する、突起した撹拌ブレード２が設けられ、撹拌ブレード２は中空構造であり、撹拌ブレード２の底面は開放状である。すなわちパルセータの底部から上を見ると、撹拌ブレード２は、本体１の下表面に、上に凹んだ中空構造が形成される。
【００２０】
図１、２に示すように、本体１の中心に設けられる中心部４は、パルセータの上下方向に沿った貫通孔を有し、駆動装置の駆動軸はパルセータの下方向から上に向かって中心部４の貫通孔内に挿入され、さらに接続装置によりパルセータと接続、固定される。パルセータおよび駆動軸の固定、組立が完了すると、パルセータカバー５を中心部４の最上部に取り付けて貫通孔を密封する。
【００２１】
図１、２に示すように、撹拌ブレード２の両側は弧状面であり、弧状面は撹拌ブレード２の最上部および本体１の上表面と接続され、撹拌ブレードの底部の幅は広く、上に向かって次第に狭くなる。撹拌ブレード２の両側の弧状面と、本体１の上表面とが交わる線は曲線であり、曲線は複数の連続した弧状線を含む。本体１の中心から本体１の周囲に向かって、順次、内側に凹んだ弧状線、外側に突出した弧状線、および内側に凹んだ弧状線である。
【００２２】
撹拌ブレード２の最上部は、本体１の中心部から本体１の外周に向かって、低部から高部への曲線状を成して延伸し、撹拌ブレード２の最高点は本体１の中心部より高い。撹拌ブレード２の最上部は、最高点から滑らかな曲面を経て下に延伸し、本体１の外周と接続される。
【００２３】
本体１の上表面における隣接する任意の２つの撹拌ブレード２間に、本体の中心部から本体の径方向に沿って、本体の外周に延伸する溝３が設けられる。溝３の幅は、本体１の中心部分から本体１の外周に向かって次第に増大する。
【００２４】
本体１の下表面に、滑らかな凹凸の起伏面が上表面に対応して設けられる。すなわち、本体１の上表面の突起した撹拌ブレード２は、本体の下表面の凹面に対応し、本体１の上表面の溝３は、本体の下表面の凸面に対応する。前記本体の下表面の凹面および凸面が組み合わさって、本体の下表面に滑らかな凹凸の起伏面を形成する。
【００２５】
撹拌ブレード２の最上部、溝３中に、複数の貫通孔６がそれぞれ設けられる。
【００２６】
撹拌ブレード２と、本体１の上表面における隣接する溝３との間で、本体１における撹拌ブレード２の側面の近くと、本体１の上表面とが交わる線の位置に、複数の貫通孔６が設けられる。
【００２７】
図３、４、５に示すように、本発明に記載するパルセータは、本体１の下表面における本体の中心に近い部位に、環状補強リブ８が設けられ、環状補強リブ８は複数である。複数の環状補強リブ８は同心円を呈して設けられ、環状補強リブが囲む範囲内に、その径方向に沿って径方向補強リブ９が設けられ、この構造はパルセータの中心部位の強度を高めた。下密封カバー７は環状補強リブ８が囲む環状領域を密封し、環状補強リブが囲む部位を下密封カバーにより密封し、さらには滑らかな平面にする。下密封カバー７および環状補強リブ８は溶着され、環状補強リブ８が囲んで形成された環状領域内に汚れが進入するのを防止する。下密封カバーの中心に貫通孔を有し、駆動装置の駆動軸は貫通孔を通過し、パルセータと接続される。
【００２８】
パルセータの本体１に上から下に凹んだ溝３を追加して成型リブを形成し、これは既存のパルセータ底部における一部の環状リブおよび横リブの代わりに使用され、溝３により形成される成型リブを利用して、パルセータの本体の強度を高める作用を発揮する。さらに溝は、本体の中心部から本体の外周に延伸し、つまり環状補強リブが囲んだ範囲内にも溝が設けられる。溝３は環状補強リブ８、径方向補強リブ９と共に、パルセータにおける本体１の中心に近い部位の強度を高める作用を発揮する。既存のパルセータと比較して、本発明に記載するパルセータの強度はより高い。
【００２９】
本発明の洗濯機のパルセータにおいて、洗濯機のパルセータの本体は円盤状であり、パルセータの本体の中心に、突起した中心部が設けられる。本体の上表面に、本体の中心部から本体の外周に延伸する、突起した撹拌ブレードおよび溝が設けられ、本体の下表面に形成される撹拌ブレードの凹面と、本体の下表面に形成される溝の凸面とが組み合わさって、本体の下表面に滑らかな凹凸の起伏面を形成する。本体の下表面から角張って突出しないため、凹凸の起伏面の間と、凹凸の起伏面および本体のその他の面の間とに、角張った夾角を有さず、パルセータの下表面に比較的多くの小さな領域も形成されない。パルセータの底面を凹凸の起伏面を有する１つの大きな面とし、汚れが容易に蓄積する死角を減少させ、これにより汚れはパルセータの底部に付着しにくい。
【００３０】
実施例２
洗濯機には、実施例１に記載のパルセータが取り付けられる。
【００３１】
本発明の洗濯機において、洗濯機のパルセータの本体は円盤状であり、パルセータの本体の中心に、突起した中心部が設けられる。本体の上表面に、本体の中心部から本体の外周に延伸する、突起した撹拌ブレードおよび溝が設けられ、本体の下表面に形成される撹拌ブレードの凹面と、本体の下表面に形成される溝の凸面とが組み合わさって、本体の下表面に滑らかな凹凸の起伏面を形成する。本体の下表面から角張って突出しないため、凹凸の起伏面の間と、凹凸の起伏面および本体のその他の面の間とに、角張った夾角を有さず、パルセータの下表面に比較的多くの小さな領域も形成されない。パルセータの底面を凹凸の起伏面を有する１つの大きな面とし、汚れが容易に蓄積する死角を減少させ、これにより汚れはパルセータの底部に付着しにくい。
【００３２】
上記実施例中の実施案はさらに組み合わせるか、または置換することができ、また実施例は本発明の好ましい実施例を説明したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００３３】
１  本体
２  撹拌ブレード
３  溝
４  中心部
５  パルセータカバー
６  貫通孔
７  下密封カバー
８  環状補強リブ
９  径方向補強リブ
【図１】
2018533419.tif 000003
【図２】
2018533419.tif 000004
【図３】
2018533419.tif 000005
【図４】
2018533419.tif 000006
【図５】
2018533419.tif 000007
【図６】
2018533419.tif 000008
【国際調査報告】
2018533419.tif 000009
2018533419.tif 000010
2018533419.tif 000011
2018533419.tif 000012
2018533419.tif 000013
2018533419.tif 000014